(57)【要約】【課題】  発光素子の個数を最小限に抑えて、組立作業の向上を図ると共に、電子回路の簡素化を図り、装置全体の低コスト化を図ることができる鍵盤装置を提供する。【解決手段】  鍵盤シャーシ６上に光透過性を有する複数の鍵７を配列させてそれぞれ上下方向に回転可能に設け、この複数の鍵７にその下側から複数の発光素子３１、４１によって光をそれぞれ照射すると共に、各鍵７の押鍵操作に応じて各発光素子３１、４１を複数のガイド部３２、４２によって各鍵７の前後方向にそれぞれ変位させる。従って、鍵７が押鍵操作されると、その押鍵操作に応じて発光素子３１、４１を鍵７の前後方向に変位させることができるので、１つに鍵７に対して複数の発光素子３１、４１を配置する必要がなく、１つに鍵７に対して１つの発光素子３１、４１を配置するだけで、演奏者の指によって鍵７の照明箇所が隠れてしまうことがなく、良好に鍵７の照明箇所を視認することができる。【選択図】        図８
2011253075.tif 000002
【特許請求の範囲】
【請求項１】
鍵盤シャーシと、
この鍵盤シャーシ上に配列されてそれぞれ上下方向に回転可能に設けられた光透過性を有する複数の鍵と、
この複数の鍵にその下側から光をそれぞれ照射する複数の光源と、
前記鍵の押鍵操作に応じて前記光源を前記鍵の前後方向にそれぞれ変位させる複数の変位部と
を備えていることを特徴とする鍵盤装置。
【請求項２】
前記鍵盤シャーシ上にそれぞれ起立した状態で前記鍵の前後方向に屈曲可能に設けられ、且つ前記複数の光源をそれぞれ支持する複数の可動支持部材を備えていることを特徴とする請求項１に記載の鍵盤装置。
【請求項３】
前記可動支持部材は、前記鍵盤シャーシ上に起立して設けられた固定基板と、前記光源が設けられた可動基板と、この可動基板を前記固定基板に対して前記鍵の前後方向に傾き可能に連結する連結部とを備えていることを特徴とする請求項２に記載の鍵盤装置。
【請求項４】
前記可動支持部材は、前記鍵盤シャーシ上にそれぞれ起立した状態で前記鍵の前後方向に屈曲するフレキシブルな配線基板であることを特徴とする請求項２に記載の鍵盤装置。
【請求項５】
前記複数の変位部は、前記複数の鍵にそれぞれ設けられ、前記鍵の押鍵操作に応じて前記複数の可動支持部材をそれぞれガイドしながら前記鍵の前後方向に傾ける複数のガイド部であることを特徴とする請求項１〜請求項４のいずれかに記載の鍵盤装置。
【発明の詳細な説明】
【技術分野】
【０００１】
この発明は、電子ピアノや電子オルガンなどの鍵盤楽器に用いられる鍵盤装置に関し、更に詳しくは演奏に応じて各鍵が順次発光する鍵盤装置に関する。
【背景技術】
【０００２】
従来、電子ピアノなどの鍵盤装置においては、特許文献１に記載されているように、鍵盤シャーシ上に複数の鍵をそれぞれ上下方向に回転可能に設けると共に、この鍵盤シャーシ上に複数の発光素子を各鍵に対応させて配置し、この複数の発光素子によって各鍵にその下側から光をそれぞれ照射することにより、押鍵操作すべき鍵を光らせて指示するナビケーション機能を備えたものが知られている。
【先行技術文献】
【特許文献】
【０００３】
【特許文献１】特開２００３−１２２３５０号公報
【０００４】
このような鍵盤装置では、押鍵操作すべき鍵を１つの発光素子で照明する構成であると、押鍵操作すべき鍵が押鍵された際に、演奏者の指によって鍵の照明箇所が隠れてしまうため、従来の鍵盤装置では、１つの鍵に対して２つの発光素子を鍵の前後方向に離して配置し、鍵が押鍵された際に２つの発光素子を切り替えて発光させることにより、鍵が押鍵されても、鍵の照明箇所が演奏者の指によって隠れないように構成されている。
【発明の概要】
【発明が解決しようとする課題】
【０００５】
しかしながら、このような従来の鍵盤装置では、鍵盤シャーシ上に１つの鍵に対して２つの発光素子をそれぞれ設けなければならないため、発光素子の個数が増大し、部品点数が多くなり、組立作業が煩雑になるばかりか、押鍵操作に応じて２つの発光素子を切り替えて発光させるための切り替え手段が必要となるため、電子回路全般の制御が煩雑になると共に、電子回路が複雑になり、装置全体のコストが高くなるという問題がある。
【０００６】
この発明が解決しようとする課題は、発光素子の個数を最小限に抑えて、組立作業の向上を図ると共に、電子回路の簡素化を図り、装置全体の低コスト化を図ることができる鍵盤装置を提供することである。
【課題を解決するための手段】
【０００７】
この発明は、上記課題を解決するために、次のような構成要素を備えている。
請求項１に記載の発明は、鍵盤シャーシと、この鍵盤シャーシ上に配列されてそれぞれ上下方向に回転可能に設けられた光透過性を有する複数の鍵と、この複数の鍵にその下側から光をそれぞれ照射する複数の光源と、前記鍵の押鍵操作に応じて前記光源を前記鍵の前後方向にそれぞれ変位させる複数の変位部とを備えていることを特徴とする鍵盤装置である。
【０００８】
請求項２に記載の発明は、前記鍵盤シャーシ上にそれぞれ起立した状態で前記鍵の前後方向に屈曲可能に設けられ、且つ前記複数の光源をそれぞれ支持する複数の可動支持部材を備えていることを特徴とする請求項１に記載の鍵盤装置である。
【０００９】
請求項３に記載の発明は、前記可動支持部材が、前記鍵盤シャーシ上に起立して設けられた固定基板と、前記光源が設けられた可動基板と、この可動基板を前記固定基板に対して前記鍵の前後方向に傾き可能に連結する連結部とを備えていることを特徴とする請求項２に記載の鍵盤装置である。
【００１０】
請求項４に記載の発明は、前記可動支持部材が、前記鍵盤シャーシ上にそれぞれ起立した状態で前記鍵の前後方向に屈曲するフレキシブルな配線基板であることを特徴とする請求項２に記載の鍵盤装置である。
【００１１】
請求項５に記載の発明は、前記複数の変位部が、前記複数の鍵にそれぞれ設けられ、前記鍵の押鍵操作に応じて前記複数の可動支持部材をそれぞれガイドしながら前記鍵の前後方向に傾ける複数のガイド部であることを特徴とする請求項１〜請求項４のいずれかに記載の鍵盤装置である。
【発明の効果】
【００１２】
この発明によれば、鍵が押鍵操作されると、その押鍵操作に応じて光源を鍵の前後方向に変位させることができるので、１つに鍵に対して複数の発光素子を配置する必要がなく、１つの鍵に対して１つの発光素子を配置するだけで、演奏者の指によって鍵の照明箇所が隠れてしまうことがなく、良好に鍵の照明箇所を視認することができる。このため、発光素子の個数を最小限に抑えて、組立作業の向上を図ることができると共に、電子回路の簡素化を図り、装置全体の低コスト化を図ることができる。
【図面の簡単な説明】
【００１３】
【図１】この発明を電子鍵盤楽器に適用した一実施形態を示した平面図である。
【図２】図１に示された電子鍵盤楽器のＡ−Ａ矢視における要部を示した拡大断面図である。
【図３】図２に示された白鍵を示し、（ａ）はその白鍵の拡大断面図、（ｂ）はその白鍵の拡大底面図である。
【図４】図２に示された黒鍵を示し、（ａ）はその黒鍵の拡大断面図、（ｂ）はその黒鍵の拡大底面図である。
【図５】図２に示された鍵盤シャーシにおける白鍵用の発光素子および黒鍵用の発光素子の各要部を示した拡大平面図である。
【図６】図２に示された電子鍵盤楽器における白鍵用の発光素子を支持する可動支持部材である第１基板を示し、（ａ）はその第１基板の拡大側面図、（ｂ）はその第１基板を右側から見た拡大背面図である。
【図７】図２に示された電子鍵盤楽器における黒鍵用の発光素子を支持する可動支持部材である第２基板を示し、（ａ）はその第２基板の拡大側面図、（ｂ）はその第２基板を右側から見た拡大背面図である。
【図８】図２に示された電子鍵盤楽器における要部を示した拡大断面図である。
【図９】図８に示された電子鍵盤楽器において、各発光素子によって鍵が照明されて光っている箇所を示した要部の拡大平面図である。
【図１０】図８に示された電子鍵盤楽器において、白鍵が押鍵された状態を示した要部の拡大断面図である。
【図１１】図１０に示された電子鍵盤楽器において、発光素子によって白鍵が照明されて光っている箇所がずれた状態を示した要部の拡大平面図である。
【図１２】図８に示された電子鍵盤楽器において、黒鍵が押鍵された状態を示した要部の拡大断面図である。
【図１３】図１２に示された電子鍵盤楽器において、発光素子によって黒鍵が照明されて光っている箇所がずれた状態を示した要部の拡大平面図である。
【図１４】この発明を適用した電子鍵盤楽器において、発光素子を支持する可動支持部材の変形例を示した拡大断面図である。
【発明を実施するための形態】
【００１４】
以下、図１〜図１３を参照して、この発明を電子鍵盤楽器に適用した一実施形態について説明する。
この電子鍵盤楽器は、図１に示すように、楽器本体１を備えている。この楽器本体１の手前側（図１では下部側）には、鍵盤部２が設けられており、この楽器本体１における鍵盤部２の後部側（図１では上部側）には、スピーカ部３、表示部４、およびスイッチ部５が設けられている。
【００１５】
スピーカ部３は、楽音を発音するためのものであり、図１に示すように、鍵盤部２の後部側（図１では上部側）に位置する楽器本体１の両側に設けられている。表示部４は、楽音情報を表示するものであり、鍵盤部２の後部側に位置する楽器本体１の中間部に設けられている。スイッチ部５は、音量調整や音色選択などの各種のスイッチを備え、鍵盤部２の後部側に位置する楽器本体１における両側のスピーカ部３の間に表示部４を除いて分散して設けられている。
【００１６】
鍵盤部２は、図１および図２に示すように、下部ケースを兼ねる鍵盤シャーシ６上に白鍵７ａおよび黒鍵７ｂからなる多数の鍵７が配列された構成になっている。鍵盤シャーシ６は、図２に示すように、その前部側（図２では左側部）に白鍵７ａの前端部における下部側を覆う前カバー部８が形成されている。この前カバー部８の後側下部（図２では右側下部）には、白鍵７ａの下限位置を規制するためのフェルトなどからなる白鍵ストッパ部９が設けられている。
【００１７】
この白鍵ストッパ部９の後部（図２では右側部）には、図２に示すように、白鍵７ａの内部に挿入して白鍵７ａの横振れを防ぐための白鍵ガイド部１０が上方に突出して設けられている。この白鍵ガイド部１０の後部には、後述する白鍵用の第１基板搭載部１１が設けられている。この第１基板搭載部１１の後方には、黒鍵７ｂの下限位置を規制するためのフェルトなどからなる黒鍵ストッパ部１２が設けられている。
【００１８】
この黒鍵ストッパ部１２の後部（図２では右側部）には、図２に示すように、後述する黒鍵用の第２基板搭載部１３が上方に位置して設けられている。この黒鍵用の第２基板搭載部１３における前側（図２では左側）の上部下面には、白鍵７ａおよび黒鍵７ｂの各上限位置を規制するためのフェルトなどからなる上限ストッパ部１４が設けられている。また、この黒鍵用の第２基板搭載部１３の下端部および黒鍵ストッパ部１２の下端部には、その両者に亘って底蓋１３ａがビス１３ｂによって開閉可能に取り付けられている。
【００１９】
また、この黒鍵用の第２基板搭載部１３の後部（図２では右側部）には、図２に示すように、黒鍵７ｂの内部に挿入して黒鍵７ｂの横振れを防ぐための黒鍵ガイド部１５が上方に突出して設けられている。この黒鍵ガイド部１５の後端下部には、スイッチ基板１６が設けられている。さらに、鍵盤シャーシ６の後端部には、各鍵７の後端部（図２では右端部）を支持する鍵支持部１７が上方に位置して設けられている。
【００２０】
一方、複数の鍵７のうち、複数の白鍵７ａは、それぞれ光透過性を有する白色の合成樹脂からなり、図２および図３に示すように、その内部が中空状に形成されている。この白鍵７ａは、その後端部（図３（ａ）では右端部）に複数の白鍵７ａの配列方向（図３（ｂ）では上下方向）に沿って各白鍵７ａを順次連結する共通連結部１８が形成されていると共に、この共通連結部１８に各白鍵７ａをそれぞれ上下方向に回転変位させるための薄肉形状の屈曲部１９が撓み変形可能に形成された構成になっている。
【００２１】
また、複数の黒鍵７ｂも、白鍵７ａと同様、それぞれ光透過性を有する黒色の合成樹脂からなり、図２および図４に示すように、その内部が中空状に形成されている。この黒鍵７ｂも、その後端部（図４（ａ）では右端部）に複数の黒鍵７ｂの配列方向（図４（ｂ）では上下方向）に沿って各黒鍵７ｂを順次連結する共通連結部２０が形成されていると共に、この共通連結部２０に各黒鍵７ｂをそれぞれ上下方向に回転変位させるための薄肉形状の屈曲部２１が撓み変形可能に形成された構成になっている。
【００２２】
これにより、複数の鍵７は、図２に示すように、白鍵７ａの共通連結部１８を黒鍵７ｂの共通連結部２０上に重ね合わせ、この状態で両者の共通連結部１８、２０を鍵盤シャーシ６の後端部に設けられた鍵支持部１７上に取り付けることにより、図１および図２に示すように、複数の白鍵７ａおよび複数の黒鍵７ｂが鍵盤シャーシ６上に配列された状態で、上下方向に回転可能に取り付けられている。
【００２３】
このため、複数の鍵７は、図２に示すように、複数の白鍵７ａがそれぞれ押鍵された際に、複数の白鍵７ａが各屈曲部１９の撓み変形によってそれぞれ上下方向に回転変位すると共に、複数の黒鍵７ｂがそれぞれ押鍵された際に、複数の黒鍵７ｂが各屈曲部２１の撓み変形によってそれぞれ上下方向に回転変位するように構成されている。
【００２４】
また、これら白鍵７ａおよび黒鍵７ｂには、図２に示すように、それぞれスイッチ押圧部２２がスイッチ基板１６上の各ゴムスイッチ２３に対応して設けられている。このスイッチ押圧部２２は、白鍵７ａおよび黒鍵７ｂが押鍵された際に、スイッチ基板１６上に設けられた各ゴムスイッチ２３を押圧するように構成されている。
【００２５】
この場合、ゴムスイッチ２３は、図２に示すように、白鍵７ａおよび黒鍵７ｂの各スイッチ押圧部２２に対応してそれぞれ設けられている。このゴムスイッチ２３は、ゴムシートにドーム状の膨出部を形成してスイッチ基板１６上に配置され、この状態で膨出部が押圧されると、ドーム状の膨出部が弾性変形し、その内部に設けられた可動接点がスイッチ基板１６上に設けられた固定接点に接触することにより、押鍵操作に応じてスイッチ信号を出力するように構成されている。
【００２６】
ところで、鍵盤シャーシ６の第１基板搭載部１１には、図２、図５および図８に示すように、基板取付部材２４が取り付けられている。この基板取付部材２４は、アルミニウムなどの金属または硬質の合成樹脂によって形成されている。この基板取付部材２４には、図８に示すように、白鍵用の第１基板２５が白鍵７ａの後側（図８では右側）に向けて少し傾いた状態で起立して取り付けられている。
【００２７】
この基板取付部材２４は、図２および図８に示すように、鍵盤シャーシ６上にビス２４ａによって取り付けられる固定部２６と、白鍵７ａに向けて傾斜した状態で起立する取付部２７とを備え、これらがほぼＬ字形状に折り曲げられた状態で一体に形成されている。この場合、固定部２６および取付部２７は、図５に示すように、白鍵７ａの配列方向に沿って細長く形成されている。
【００２８】
また、取付部２７は、図５および図８に示すように、固定部２６に対して所定角度（例えば、約８０度）だけ、白鍵７ａの後方（図８では右側）に向けて傾いた状態で固定されている。この傾いた状態の取付部２７の前面（図４では左側面）には、第１基板２５がビス２７ａによって取り付けられている。このビス２７ａは、固定部２７を固定するビス２４ａに対して白鍵７ａの配列方向に位置がずれた状態で取り付けられるように構成されている。
【００２９】
また、この第１基板２５は、図６および図８に示すように、固定基板２８と複数の可動基板２９とを備え、この固定基板２８と複数の可動基板２９とをそれぞれ屈曲可能に連結する連結部材である複数のフレキシブルな配線基板３０によって白鍵７ａの前後方向（図８では左右方向）に向けてそれぞれ傾くように構成されている。固定基板２８は、図６（ａ）および図６（ｂ）に示すように、白鍵７ａの配列方向に沿って連続する帯板状に形成され、図示しない接続部材によって楽器全体を制御するための回路基板と電気的に接続されている。
【００３０】
複数の可動基板２９は、図６および図８に示すように、各白鍵７ａの内部にそれぞれ非接触状態で挿入する板状のものであり、固定基板２８の上端部にフレキシブルな配線基板３０によって白鍵７ａの前後方向（図８では左右方向）にそれぞれ傾き可能に取り付けられている。この複数の可動基板２９の各上部前面（図８では左側面）には、各白鍵７ａの前側内部に光を照射する白鍵用の発光素子３１がそれぞれ設けられている。
【００３１】
複数の配線基板３０は、フィルムなどの屈曲性を有する樹脂シートからなり、その一面に接続配線（図示せず）が形成された構成になっている。これにより、複数の配線基板３０は、図６および図８に示すように、それぞれ固定基板２８と複数の可動基板２９とを電気的に接続するように構成されている。また、この複数の配線基板３０は、固定基板２８と複数の可動基板２９との間に対応する部分が屈曲することにより、固定基板２８に対して各可動基板２９を白鍵７ａの前後方向（図８では左右方向）にそれぞれ傾けるように構成されている。
【００３２】
この場合、白鍵７ａには、図３（ｂ）および図８に示すように、白鍵７ａの押鍵操作に応じて白鍵用の発光素子３１を白鍵７ａの前後方向（図８では左右方向）に変位させるための変位部であるガイド部３２が設けられている。この白鍵用のガイド部３２は、図２および図８に示すように、可動基板２９を白鍵７ａの後方（図８では右側）に傾けるための前側ガイドリブ３３と、可動基板２９を初期状態に戻すための後側ガイドリブ３４とを備えている。
【００３３】
すなわち、この白鍵用のガイド部３２は、図３（ｂ）に示すように、白鍵７ａの前部側に位置する両側部に、その白鍵７ａの内部に向けてそれぞれ突出して設けられている。これにより、白鍵用のガイド部３２は、図８に示すように、前側ガイドリブ３３と後側ガイドリブ３４との間に、第１基板２５の可動基板２９における上部の両端を上下方向に移動可能に挟み込むように構成されている。
【００３４】
この場合、前側ガイドリブ３３は、図８に示すように、第１基板２５の可動基板２９における上部の前面側（図８では左面側）に位置する白鍵７ａ内の箇所に垂下され、白鍵７ａが押鍵された際に、図１０に示すように、前側ガイドリブ３３の下端部が発光素子３１を避けて可動基板２９の前側面（図８では左側面）に当接することにより、フレキシブルな配線基板３０を屈曲させて可動基板２９を白鍵７ａの後方（図８では右側）に傾けるように構成されている。
【００３５】
また、後側ガイドリブ３４は、図８に示すように、第１基板２５の可動基板２９における上部の後面（図８では右側面）に位置する白鍵７ａ内の下部に設けられ、常に可動基板２９の後面（図８では右側面）が摺動可能に当接することにより、可動基板２９が白鍵７ａの後側への傾きを規制するように構成されている。すなわち、この後側ガイドリブ３４は、白鍵７ａが押鍵されて前側ガイドリブ３３によって可動基板２９が後側に傾く際に、図１０に示すように、後側ガイドリブ３４の上端部が可動基板２９を支持して可動基板２９の後方への傾きを規制するように構成されている。
【００３６】
この場合、後側ガイドリブ３４は、図８に示すように、その上端部が前側ガイドリブ３３の下端部とほぼ同じ高さに位置し、押鍵操作に応じて下側に移動する際に、可動基板２９の上端部を白鍵７ａの上部後方に向けて移動させるために、後側ガイドリブ３４の上端部と白鍵７ａの内部上部との間に隙間が形成された構成になっている。このため、白鍵７ａを成形する成形用金型（図示せず）は、スライドコアを用いることにより、後側ガイドリブ３４の上端部と白鍵７ａの内部上部との間の隙間を形成するように構成されている。
【００３７】
これにより、白鍵用のガイド部３２は、図８に示すように、白鍵７ａが押鍵操作されていない初期状態のときに、前側ガイドリブ３３と後側ガイドリブ３４との間に第１基板２５の可動基板２９における上部の両端を保持して、可動基板２９を白鍵７ａの後方に少し傾けた状態で起立させることにより、図９に示すように、発光素子３１の光を白鍵７ａの前部側に照射させて白鍵７ａの前部側を光らせるように構成されている。
【００３８】
また、このガイド部３２は、図１０に示すように、白鍵７ａが押鍵操作された際に、可動基板２９における上部の両端を後側ガイドリブ３４に沿ってガイドしながら相対的に上方に移動させると共に、前側ガイドリブ３３の下端部が可動基板２９の前側面に当接して可動基板２９を押し下げることにより、フレキシブルな配線基板３０を屈曲させて可動基板２９を白鍵７ａの後方に向けて傾け、発光素子３１を白鍵７ａの後方に移動させるように構成されている。これにより、発光素子３１は、図１１に示すように、白鍵７ａに光を照射する照射領域Ｅ１が白鍵７ａの前部から少し後方に移動するように構成されている。
【００３９】
さらに、このガイド部３２は、図１０に示す状態で、押鍵された白鍵７ａが屈曲部１９を中心に回転して初期位置に戻る際に、白鍵７ａと共に後側ガイドリブ３４が上方に移動しながら可動基板２９の後面を押し上げることにより、屈曲した配線基板３０を元の状態に戻すように屈曲させながら、可動基板２９を白鍵７ａの前方に向けて起立するように傾け、発光素子３１を白鍵７ａの前方に移動させるように構成されている。
【００４０】
この場合、ガイド部３２の前側ガイドリブ３３と後側ガイドリブ３４とには、第１基板２５の可動基板２９を円滑にガイドするために、グリスなどの潤滑剤が塗布されていることが望ましい。また、第１基板２５の固定基板２８が取り付けられる基板取付部材２４の取付部２７には、図２および図８に示すように、第１基板２５の可動基板２９が白鍵７ａの前側への傾きを規制するストッパ片２７ｂが設けられている。
【００４１】
一方、鍵盤シャーシ６の第２基板搭載部１３には、図２および図８に示すように、黒鍵用の第２基板３５が起立するように取り付けられている。この場合、第２基板搭載部１３は、第２基板３５が挿入する凹溝形状に形成され、この凹溝形状内における前側（図８では左側）の内面が後下り（図８では右下り）に傾斜し、その後側（図８では右側）の内面にリブ部３６が設けられた構成になっている。このリブ部３６には、ワッシャなどの押え板３７がビス３７ａによって取り付けられている。
【００４２】
これにより、第２基板搭載部１３は、図８に示すように、黒鍵用の第２基板３５が前側内面とリブ部３６との間に上方から挿入された状態で、リブ部３６に押え板３７がビス３７ａによって取り付けられると、この押え板３７の端部によって第２基板３５が前側内面に押し付けられることにより、この前側内面によって第２基板３５を前側に傾けた状態で、第２基板３５が固定されるように構成されている。
【００４３】
この第２基板３５も、第１基板２５と同様、固定基板３８と複数の可動基板３９とを備え、図７および図８に示すように、固定基板３８と複数の可動基板３９とをそれぞれ屈曲可能に連結する連結部材である複数のフレキシブルな配線基板４０によって黒鍵７ｂの前後方向（図８では左右方向）に向けてそれぞれ傾くように構成されている。
【００４４】
固定基板３８は、図７（ｂ）に示すように、黒鍵７ｂの配列方向に沿って連続する帯板状に形成されている。この固定基板３８は、図２および図８に示すように、第２基板搭載部１３の押え板３５によって第２基板３５が前側内面に押し付けられることにより、この前側内面によって前側に傾いた状態で固定されている。この固定基板３８も、図示しない接続部材によって楽器全体を制御するための回路基板と電気的に接続されている。
【００４５】
複数の可動基板３９は、図７および図８に示すように、各黒鍵７ｂの内部にそれぞれ非接触状態で挿入する板状のものであり、固定基板３８の上端部にフレキシブルな配線基板４０によって黒鍵７ｂの前後方向（図８では左右方向）にそれぞれ傾き可能に取り付けられている。この複数の可動基板３９における各上部前面（図８では左側面）には、各黒鍵７ｂの前側内部に光を照射する黒鍵用の発光素子４１がそれぞれ設けられている。
【００４６】
複数の配線基板４０も、フィルムなどの屈曲性を有する樹脂シートからなり、その一面に接続配線（図示せず）が形成された構成になっている。これにより、複数の配線基板４０は、図７および図８に示すように、それぞれ固定基板３８と複数の可動基板３９とを電気的に接続するように構成されている。また、この複数の配線基板４０は、固定基板３８と複数の可動基板３９との間に対応する部分が屈曲することにより、固定基板３８に対して各可動基板３９を黒鍵７ｂの前後方向（図８では左右方向）にそれぞれ傾けるように構成されている。
【００４７】
この場合、黒鍵７ｂには、図４（ｂ）および図８に示すように、黒鍵７ｂの押鍵操作に応じて黒鍵用の発光素子４１を黒鍵７ｂの前後方向（図８では左右方向）に変位させるための変位部であるガイド部４２が設けられている。この黒鍵用のガイド部４２は、図２および図８に示すように、可動基板３９を黒鍵７ｂの後方（図８では右側）に傾けるための前側ガイドリブ４３と、可動基板３９を初期状態に戻すための後側ガイドリブ４４とを備えている。
【００４８】
すなわち、この黒鍵用のガイド部４２は、図４（ｂ）に示すように、黒鍵７ｂの前部側に位置する両側部に、その黒鍵７ｂの内部に向けてそれぞれ突出して設けられている。これにより、黒鍵用のガイド部４２は、図８に示すように、前側ガイドリブ４３と後側ガイドリブ４４との間に、第２基板３５の可動基板３９における上部の両端を上下方向に移動可能に挟み込むように構成されている。
【００４９】
この場合、前側ガイドリブ４３は、図８に示すように、第２基板３５の可動基板３９における上部の前面側（図８では左面側）に位置する黒鍵７ｂ内の箇所に垂下され、黒鍵７ｂが押鍵された際に、図１２に示すように、前側ガイドリブ４３の下端部が発光素子４１を避けて可動基板３９の前側面（図１２では左側面）に当接することにより、フレキシブルな配線基板４０を屈曲させて可動基板３９を黒鍵７ｂの後方（図１２では右側）に傾けるように構成されている。
【００５０】
また、後側ガイドリブ４４は、図８に示すように、第２基板３５の可動基板３９における上部の後面（図８では右側面）に位置する黒鍵７ｂ内の下部に設けられ、常に可動基板３９の後面（図８では右側面）が摺動可能に当接することにより、可動基板３９が黒鍵７ｂの後側への傾きを規制するように構成されている。すなわち、この後側ガイドリブ４４は、黒鍵７ｂが押鍵されて前側ガイドリブ４３によって可動基板３９が後側に傾く際に、図１２に示すように、後側ガイドリブ４４の上端部が可動基板３９を支持して可動基板３９の後方への傾きを規制するように構成されている。
【００５１】
この場合にも、後側ガイドリブ４４は、図８に示すように、その上端部が前側ガイドリブ４３の下端部とほぼ同じ高さに位置し、押鍵操作に応じて下側に移動する際に、可動基板３９の上端部を黒鍵７ｂの上部後方に向けて移動させるために、後側ガイドリブ４４の上端部と黒鍵７ｂの内部上部との間に隙間が形成された構成になっている。
【００５２】
また、前側ガイドリブ４３も、図８に示すように、その上端部と黒鍵７ｂの内部上部との間に隙間が形成されている。このため、黒鍵７ｂを成形する成形用金型（図示せず）も、スライドコアを用いることにより、前後の各ガイドリブ４３、４４の各上端部と黒鍵７ｂの各内部上部との間の各隙間をそれぞれ形成するように構成されている。
【００５３】
これにより、黒鍵用のガイド部４２は、図８に示すように、黒鍵７ｂが押鍵操作されていない初期状態のときに、前側ガイドリブ４３と後側ガイドリブ４４との間に第２基板３５の可動基板３９における上部の両端を保持して、可動基板３９を黒鍵７ｂの後方に少し傾けた状態で起立させることにより、図９に示すように、発光素子４１の光を黒鍵７ｂの前部側に照射させて黒鍵盤７ｂの前部側を光らせるように構成されている。
【００５４】
また、このガイド部４２は、図１２に示すように、黒鍵７ｂが押鍵操作された際に、可動基板３９における上部の両端を後側ガイドリブ４４に沿ってガイドしながら相対的に上方に移動させると共に、前側ガイドリブ４３の下端部が可動基板３９の前側面に当接して可動基板３９を押し下げることにより、フレキシブルな配線基板４０を屈曲させて可動基板３９を黒鍵７ｂの後方に向けて傾け、発光素子４１を黒鍵７ｂの後方に移動させるように構成されている。これにより、発光素子４１は、図１３に示すように、黒鍵７ｂに光を照射する照射領域Ｅ２が黒鍵７ｂの前部から少し後方に移動するように構成されている。
【００５５】
さらに、このガイド部４２は、図１２に示す状態で、押鍵された黒鍵７ｂが屈曲部２１を中心に回転して初期位置に戻る際に、黒鍵７ｂと共に後側ガイドリブ４４が上方に移動しながら可動基板３９の後面を押し上げることにより、屈曲した配線基板４０を元の状態に戻すように屈曲させながら、可動基板３９を黒鍵７ｂの前方に向けて起立するように傾け、発光素子４１を黒鍵７ｂの前方に移動させるように構成されている。
【００５６】
この場合にも、黒鍵用のガイド部４２の前側ガイドリブ４３と後側ガイドリブ４４とには、第２基板３５の可動基板３９を円滑にガイドするために、グリスなどの潤滑剤が塗布されていることが望ましい。また、第２基板３５の固定基板３８が取り付けられる第２基板搭載部１３の前側上部には、図２および図８に示すように、第２基板３５の可動基板３９が黒鍵７ｂの前側への傾きを規制する複数のストッパリブ１３ｃがそれぞれ起立した状態で設けられている。
【００５７】
ところで、白鍵用の発光素子３１および黒鍵用の発光素子４１は、それぞれほぼ直方体のチップ形状に形成され、その一側面である上面のみから光を発光する側面発光ダイオードである。この発光素子３１、４１は、ほぼ直方体のチップ形状に形成されていることにより、図２および図８に示すように、その後面（図２では右側面）が第１、第２の各基板２５、３５における各可動基板２９、３９の各上部前面（図２では左側面）に密着して半田などで電気的に接続された状態で平面実装されている。
【００５８】
これにより、白鍵用の発光素子３１は、その一側面である上面から光を発すると、図８に示すように、その光が白鍵７ａの前側内部に照射され、この照射された光の一部が白鍵７ａを透過することにより、図９に示すように、白鍵７ａの前部側を光らせるように構成されている。また、黒鍵用の発光素子４１は、白鍵用の発光素子３１と同様、その一側面である上面から光を発すると、図８に示すように、その光が黒鍵７ｂの前側内部に照射され、この照射された光の一部が黒鍵７ｂを透過することにより、図９に示すように、黒鍵７ｂの前部側を光らせるように構成されている。
【００５９】
次に、このような鍵盤楽器の作用について説明する。
この鍵盤楽器で演奏する場合には、その演奏に応じて各鍵７を押鍵する際に、その押鍵すべき鍵７に対応する発光素子３１、４１を順次発光させて、押鍵すべき鍵７を順次光らせる。例えば、押鍵すべき鍵７が複数の白鍵７ａのいずれかである場合には、その白鍵７ａに対応する発光素子３１を発光させる。すると、その発光素子３１の光が白鍵７ａの前側内部に照射され、この照射された光の一部が白鍵７ａを透過することにより、白鍵７ａの前部側を光らせる。
【００６０】
また、押鍵すべき鍵７が複数の黒鍵７ｂのいずれかである場合には、その黒鍵７ｂに対応する発光素子４１を発光させる。すると、その発光素子４１の光が黒鍵７ｂの前側内部に照射され、この照射された光の一部が黒鍵７ｂを透過することにより、黒鍵７ｂの前部側を光らせる。これにより、演奏に応じて押鍵すべき鍵７を順次光らせることができるので、演奏者が初心者であっても、良好に演奏することができる。
【００６１】
このように、押鍵すべき鍵７が光っている状態で、各鍵７を演奏者が指で押鍵する際には、その押鍵操作に応じて各発光素子３１、４１による光の照射領域Ｅ１、Ｅ２がずれ、各鍵７の光っている箇所が演奏者の指によって隠れないようにすることができる。例えば、複数の鍵７のうち、白鍵７ａを押鍵操作すると、図１０に示すように、押鍵された白鍵７ａと共にガイド部３３の後側ガイドリブ３４に沿って可動基板２９の上端部がガイドされながら相対的に上方に移動する。
【００６２】
このときには、白鍵７ａに設けられたガイド部３３の前側ガイドリブ３３の下端部が可動基板２９の前側面に上方から当接して可動基板２９を押し下げる。これにより、フレキシブルな配線基板３０が屈曲して、図１０に示すように、可動基板２９を白鍵７ａの後方に向けて傾ける。このため、発光素子３１が白鍵７ａの後方に移動し、図１１に示すように、発光素子３１による光の照射領域Ｅ１が白鍵７ａの後方にずれ、このずれた照射領域Ｅ１の箇所を光らせる。これにより、光っている箇所が演奏者の指によって隠れないようにすることができる。
【００６３】
また、図１０に示す状態で、押鍵された白鍵７ａが屈曲部１９を中心に回転して初期位置に戻る際には、白鍵７ａと共にガイド部３３の後側ガイドリブ３４が上方に移動しながら可動基板２９の後面を押し上げる。これにより、屈曲されたフレキシブルな配線基板３０が元の状態に戻るように屈曲しながら、可動基板２９を白鍵７ａの前方に向けて起立するように傾ける。このため、発光素子３１が白鍵７ａの前方に移動し、図９に示すように、発光素子３１による光の照射領域Ｅ１が白鍵７ａの前方にずれ、このずれた箇所を光らせる。
【００６４】
同様に、黒鍵７ｂを押鍵操作すると、図１２に示すように、押鍵された黒鍵７ｂと共にガイド部４２の後側ガイドリブ４４に沿って可動基板３９の上端部がガイドされながら相対的に上方に移動する。このときには、黒鍵７ｂに設けられたガイド部４２の前側ガイドリブ４３の下端部が可動基板３９の前側面に上方から当接して可動基板３９を押し下げる。
【００６５】
これにより、フレキシブルな配線基板４０が屈曲して、図１２に示すように、可動基板３９を黒鍵７ｂの後方に向けて傾ける。このため、発光素子４１が黒鍵７ｂの後方に移動し、図１３に示すように、発光素子４１による光の照射領域Ｅ２が黒鍵７ｂの後方にずれ、このずれた照射領域Ｅ２の箇所を光らせる。これにより、光っている箇所が演奏者の指によって隠れないようにすることができる。
【００６６】
また、図１２に示す状態で、押鍵された黒鍵７ｂが屈曲部２１を中心に回転して初期位置に戻る際には、黒鍵７ｂと共にガイド部４２の後側ガイドリブ４４が上方に移動しながら可動基板３９の後面を押し上げる。これにより、屈曲したフレキシブルな配線基板４０が元の状態に戻るように屈曲しながら、可動基板３９を黒鍵７ｂの前方に向けて起立するように傾ける。このため、発光素子４１が黒鍵７ｂの前方に移動し、図９に示すように、発光素子４１による光の照射領域Ｅ２が黒鍵７ｂの前方にずれ、このずれた箇所を光らせる。
【００６７】
このように、この電子鍵盤楽器によれば、鍵盤シャーシ６上に白鍵７ａおよび黒鍵７ｂからなる光透過性を有する複数の鍵７を配列させてそれぞれ上下方向に回転可能に設けると共に、この複数の鍵７にその下側から複数の発光素子３１、４１によって光をそれぞれ照射する構成であるから、演奏者が複数の鍵７を押鍵操作して演奏をする際に、その演奏に応じて押鍵すべき鍵７をこれに対応する発光素子３１、４１によって光らせることにより、演奏者が押鍵すべき鍵７を視認することができ、このため演奏者が初心者であっても良好に演奏することができる。
【００６８】
また、この電子鍵盤楽器によれば、複数の鍵７の押鍵操作に応じて発光素子３１、４１を各鍵７の前後方向にそれぞれ変位させるための複数のガイド部３２、４２を備えているので、各鍵７が押鍵操作されると、その押鍵操作に応じて各発光素子３１、４１を各鍵７の前後方向に変位させることができる。
【００６９】
このため、１つに鍵７に対して複数の発光素子３１、４１を配置する必要がなく、１つの鍵７に対して１つの発光素子３１、４１を配置するだけで、演奏者の指によって鍵７の照明箇所が隠れてしまうことがなく、良好に鍵７の照明箇所を視認することができる。これにより、発光素子３１、４１の個数を最小限に抑えて、組立作業の向上を図ることができると共に、電子回路の簡素化を図り、楽器全体の低コスト化を図ることができる。
【００７０】
この場合、複数の発光素子３１、４１をそれぞれ支持する複数の可動支持部材である第１、第２の各基板２５、３５が、鍵盤シャーシ６上にそれぞれ起立した状態で鍵７の前後方向に屈曲可能に設けられているので、鍵７の押鍵操作に応じて第１、第２の各基板２５、３５をそれぞれ屈曲させることにより、各発光素子３１、４１を鍵７の前後方向に変位させることができ、これにより発光素子３１、４１による光の照射領域Ｅ１、Ｅ２を鍵７の前後方向に確実に且つ良好にずらすことができる。
【００７１】
すなわち、複数の発光素子３１、４１をそれぞれ支持する第１、第２の各基板２５、３５は、鍵盤シャーシ６上に固定された固定基板２８、３８と、発光素子３１，４１を支持する可動基板２９、３９と、この可動基板２９、３９を各鍵７の前後方向に向けてそれぞれ傾き可能に連結する複数のフレキシブルな配線基板３０、４０とを備えた構成であることにより、鍵７が押鍵操作された際に、フレキシブルな配線基板３０、４０が屈曲して、可動基板２９、３９を鍵７の前後方向に確実に且つ良好に傾けることができる。
【００７２】
これにより、可動基板２９、３９に支持された発光素子３１、４１を鍵７の前後方向に移動させることができるので、この発光素子３１、４１によって各鍵７に照射された光の照射領域Ｅ１、Ｅ２を鍵７の押鍵操作に応じて確実に且つ良好に鍵７の前後方向にずらすことができ、これにより各鍵７の光っている箇所が演奏者の指によって隠れないようにすることができる。
【００７３】
また、この電子鍵盤楽器では、複数のガイド部３２、４２が、複数の鍵７にそれぞれ設けられ、各鍵７の押鍵操作に応じて第１、第２の各基板２５、３５をそれぞれガイドしながら鍵７の前後方向に傾けるので、各鍵７の押鍵操作に応じて各発光素子３１、４１を鍵７の前後方向に移動させることができ、これにより光の照射位置を確実に且つ良好に鍵７の前後方向にずらすことができる。
【００７４】
この場合、ガイド部３２、４２は、可動基板２９、３９を鍵７の後方に傾けるための前側ガイドリブ３３、４３と、可動基板２９、３９を初期状態に戻すための後側ガイドリブ３４、４４とを備えているので、鍵７の押鍵操作に連動させて可動基板２９、３９を鍵７の前後方向に確実に且つ良好に傾けることができる。
【００７５】
すなわち、このガイド部３２、４２は、鍵７が押鍵操作されると、鍵７と共に後側ガイドリブ３４、４４に沿って可動基板２９、３９の各上端部をガイドしながら相対的に上方に移動すると共に、前側ガイドリブ３３、４３の各下端部が可動基板２９、３９の各前側面に上方から当接して可動基板２９、３９を押し下げるので、フレキシブルな配線基板３０、４０を屈曲させて可動基板２９、３９を鍵７の後方に向けて確実に且つ良好に傾けることができ、これにより発光素子３１、４１による各光の照射領域Ｅ１、Ｅ２を鍵７の後方にずらすことができる。
【００７６】
また、このガイド部３２、４２は、押鍵された鍵７が屈曲部１９、２１を中心に回転して初期位置に戻る際に、鍵７と共に後側ガイドリブ３４、４４が上方に移動しながら可動基板２９、３９の各後面を押し上げるので、フレキシブルな配線基板３０、４０を元の状態に戻すように屈曲させながら、可動基板２９、３９を鍵７の前方に向けて起立するように確実に且つ良好に傾けることができ、これにより発光素子３１、４１が鍵７の前方に移動させて、発光素子３１、４１による各光の照射領域Ｅ１、Ｅ２を鍵７の前方にずらすことができる。
【００７７】
なお、前述した実施形態では、発光素子３１、４１を支持するための第１、第２の各基板２５、３５が、それぞれ固定基板２８、３８と可動基板２９、３９とを備え、この固定基板２８、３８と可動基板２９、３９とをフレキシブルな配線基板３０、４０によって屈曲可能に連結した構成である場合について述べたが、これに限らず、例えば図１４に示す変形例のように、鍵盤シャーシ６の第１、第２の各基板搭載部１１、１３上にフレキシブルな配線基板５１、５２を各鍵７に対応させた状態で起立させて取り付けた構成であっても良い。
【００７８】
すなわち、このフレキシブルな配線基板５１、５２は、前述した実施形態と同様、フィルムなどの屈曲性を有する樹脂シートからなり、その一面に接続配線（図示せず）が形成された構成になっている。この場合、白鍵用の配線基板５１は、図１４に示すように、ほぼＬ字形状に折り曲げられ、この折り曲げられた下部が鍵盤シャーシ６の第１基板搭載部１１上にビス２４ａによって取り付けられ、折り曲げられた上部が少し後方に傾いて起立した状態で各白鍵７ａ内に挿入するように構成されている。
【００７９】
この場合、白鍵用の配線基板５１は、図１４に示すように、その上部前面に発光素子３１が配置され、この状態で配線基板５１の上部が、白鍵７ａに設けられたガイド部３２である前側ガイドリブ３３と後側ガイドリブ３４とによって、挟み込んだ状態でガイドされることにより、白鍵７ａの押鍵操作に応じて白鍵７ａの前後方向に屈曲して傾くように構成されている。
【００８０】
また、黒鍵用の配線基板５２は、図１４に示すように、その下部が鍵盤シャーシ６の第２基板搭載部１３に形成された凹溝内の前側内面にワッシャなどの押え板３７によって固定され、その上部が後方に向けて少し傾いて起立した状態で各黒鍵７ｂ内に挿入するように構成されている。
【００８１】
この場合にも、黒鍵用の配線基板５２は、その上部前面に発光素子４１が配置され、この状態で配線基板５２の上部が、黒鍵７ｂに設けられたガイド部４２である前側ガイドリブ４３と後側ガイドリブ４４とによって、挟み込んだ状態でガイドされることにより、黒鍵７ｂの押鍵操作に応じて黒鍵７ｂの前後方向に屈曲して傾くように構成されている。
【００８２】
このような電子鍵盤楽器においても、前述した実施形態と同様、複数の鍵７が押鍵操作されると、その押鍵操作に応じてフレキシブルな配線基板５１、５２を各鍵７の前後方向に屈曲させて傾けることができ、これにより各発光素子３１、４１を各鍵７の前後方向に変位させることができる。このため、１つに鍵７に対して複数の発光素子３１、４１を配置する必要がなく、１つの鍵７に対して１つの発光素子３１、４１を配置するだけで、演奏者の指によって鍵７の照明箇所が隠れてしまうことがなく、良好に鍵７の照明箇所を視認することができる。
【００８３】
このため、発光素子３１、４１の個数を最小限に抑えて、組立作業の向上を図ることができると共に、電子回路の簡素化を図るほか、前述した実施形態のように第１、第２の基板２５、３５を用いずに、フレキシブルな配線基板５１、５２のみを鍵盤シャーシ６に組み付けるだけで良いので、構造も簡単で、より一層、組立作業が容易になると共に、楽器全体の更なる低コスト化を図ることができる。
【００８４】
また、前述した実施形態およびその変形例では、光源として側面発光型の発光素子３１、４１を用いた場合について述べたが、これに限らず、例えば素子基板上に上面発光タイプの発光素子を搭載し、この素子基板の下面に２本の接続リード線を下側に延ばして設け、この２本の接続リード線を鍵盤シャーシ上に起立させた状態で取り付けると共に、２本の接続リード線を回路基板に接続させた構成であっても良い。
【００８５】
この場合には、鍵に設けられたガイド部によって発光素子を直接ガイドすることにより、２本の接続リード線を鍵の前後方向に撓ませて、発光素子を鍵の前後方向に傾けるように移動させる構成にすれば良い。すなわち、鍵に設けられたガイド部は、前側ガイドリブと後側ガイドリブとを備え、この前側ガイドリブと後側ガイドリブとの間に発光素子が挿入し、この状態で鍵の押鍵操作に応じて前側ガイドリブと後側ガイドリブとが発光素子をガイドしながら２本の接続リード線を屈曲させて鍵の前後方向に傾けるように構成されていれば良い。
【符号の説明】
【００８６】
６  鍵盤シャーシ
７  鍵
７ａ  白鍵
７ｂ  黒鍵
１１  第１基板搭載部
１３  第２基板搭載部
２５、３５  第１、第２の各基板
２８、３８  固定基板
２９、３９  可動基板
３０、４０、５１、５２  フレキシブルな配線基板
３１、４１  発光素子
３２、４２  ガイド部
３３、４３  前側ガイドリブ
３４、４４  後側ガイドリブ
【図１】
2011253075.tif 000003
【図２】
2011253075.tif 000004
【図３】
2011253075.tif 000005
【図４】
2011253075.tif 000006
【図５】
2011253075.tif 000007
【図６】
2011253075.tif 000008
【図７】
2011253075.tif 000009
【図８】
2011253075.tif 000010
【図９】
2011253075.tif 000011
【図１０】
2011253075.tif 000012
【図１１】
2011253075.tif 000013
【図１２】
2011253075.tif 000014
【図１３】
2011253075.tif 000015
【図１４】
2011253075.tif 000016